(57)【要約】      （修正有）【課題】製作費が安くて着用者の広い範囲を覆うエプロンを提供する。【解決手段】エプロンは、防水性シートを切断して製作する。上下方向中央部の左右に腰紐部１を形成し、左右の腰紐部位置の下側の部分を前垂れ部２にする。着用者が腰に左右の腰紐部を巻き付けて結ぶと、前垂れ部が着用者の前側に垂れて着用者の腹部と脚部前面を覆う。また、左右の腰紐部位置の直上の部分を胸当て部３にし、胸当て部の上側の部分をケープ状部４にし、ケープ状部に切抜孔や切れ目によって首通し部５と腕通し部６を形成し、首通し部を左右方向中央位置に、腕通し部を左側位置と右側位置にそれぞれ配置する。着用者が首を首通し部に、左右の腕を左右の腕通し部に通すと、ケープ状部が着用者の左右の肩部と腕部に被さり、胸当て部が着用者の胸部を覆う。【選択図】図１
0003190355.tif 000002
【実用新案登録請求の範囲】
【請求項１】
防水性のシートを切断して製作したエプロンにおいて、
エプロンは、上下方向中央部の左右にそれぞれ腰紐部を形成し、左右の腰紐部位置の下側の部分を前垂れ部にし、着用者が腰に左右の腰紐部を巻き付けて結ぶと、前垂れ部が着用者の前側に垂れ下って着用者の腹部と脚部前面を覆う構成にし、
また、エプロンは、左右の腰紐部位置の直上の部分を胸当て部にし、胸当て部の上側の部分をケープ状部にし、ケープ状部に切抜孔又は切れ目によって首通し部と腕通し部を形成し、首通し部を左右方向中央位置に、腕通し部を左側位置と右側位置にそれぞれ配置し、着用者が首を首通し部に、左右の腕を左右の腕通し部に通すと、ケープ状部が着用者の左右の肩部と腕部に被さり、胸当て部が着用者の胸部を覆う構成にしていることを特徴とするエプロン。
【請求項２】
首通し部の上側の部分は、切断し易くして、エプロン使用後に首通し部を左右に開放する構成にしていることを特徴とする請求項１に記載のエプロン。
【請求項３】
着用者は、医療関係者又は介護関係者にしていることを特徴とする請求項１又は２に記載のエプロン。
【考案の詳細な説明】
【技術分野】
【０００１】
本考案は、医療関係者や介護関係者が着用するのに適したエプロンに関する。
【背景技術】
【０００２】
医療関係者や介護関係者は、着衣が汚れるのを防ぐため、患者や被介護者に接するときにエプロンを着用する。この種のエプロンは、防水性のシート、例えば合成樹脂シートで製作する。そして、着用者の前面などの広い範囲を覆う。
【０００３】
特許文献１に開示のエプロンは、合成樹脂シートを切断、折り曲げ、溶着し、袖口にゴム紐を通して製作する。このエプロンは、着用者の肩部、腕部、胸部や腹部などを覆う。
【先行技術文献】
【特許文献】
【０００４】
【特許文献１】意匠登録第１４４４８６７号公報
【考案の概要】
【考案が解決しようとする課題】
【０００５】
［課  題］
上記のようなエプロンは、使用して汚染した後、廃棄する。使い捨てにする。汚染を拡げないため、また、洗濯の手間を省くためである。使い捨てのエプロンは、製作費を安くすることが望まれる。また、着用者の前面などの広い範囲を覆うことが望まれる。
【０００６】
［着  想］
エプロンは、素材の防水性シートを切断するだけで製作することとした。溶着やゴム紐通しなどがなく、製作費が安くなる。
【０００７】
素材の防水性シートは、切断するだけで、所望の形状のエプロンにする。
エプロンは、上下方向中央部の左右にそれぞれ腰紐部を形成する。左右の腰紐部位置の下側の部分を前垂れ部にする。このエプロンは、着用者が腰に左右の腰紐部を巻き付けて結ぶと、前垂れ部が着用者の前側に垂れ下って着用者の腹部と脚部前面を覆うことになる。
【０００８】
また、エプロンは、左右の腰紐部位置の直上の部分を胸当て部にする。胸当て部の上側の部分をケープ状部にする。ケープ状部には、切抜孔や切れ目によって首通し部と腕通し部を形成する。首通し部は左右方向中央位置に、腕通し部は左側位置と右側位置にそれぞれ配置する。このエプロンは、着用者が首を首通し部に、左右の腕を左右の腕通し部に通すと、ケープ状部が着用者の左右の肩部と腕部に被さり、胸当て部が着用者の胸部を覆うことになる。
【０００９】
エプロンは、着用者の肩部、腕部、胸部、腹部や脚部前面などの広い範囲を覆う。
【課題を解決するための手段】
【００１０】
１．防水性のシートを切断して製作したエプロンにおいて、
エプロンは、上下方向中央部の左右にそれぞれ腰紐部を形成し、左右の腰紐部位置の下側の部分を前垂れ部にし、着用者が腰に左右の腰紐部を巻き付けて結ぶと、前垂れ部が着用者の前側に垂れ下って着用者の腹部と脚部前面を覆う構成にし、
また、エプロンは、左右の腰紐部位置の直上の部分を胸当て部にし、胸当て部の上側の部分をケープ状部にし、ケープ状部に切抜孔又は切れ目によって首通し部と腕通し部を形成し、首通し部を左右方向中央位置に、腕通し部を左側位置と右側位置にそれぞれ配置し、着用者が首を首通し部に、左右の腕を左右の腕通し部に通すと、ケープ状部が着用者の左右の肩部と腕部に被さり、胸当て部が着用者の胸部を覆う構成にしていることを特徴とする。
２．上記１のエプロンにおいて、
首通し部の上側の部分は、切断し易くして、エプロン使用後に首通し部を左右に開放する構成にしていることを特徴とする。
３．上記１又は２のエプロンにおいて、
着用者は、医療関係者又は介護関係者にしていることを特徴とする。
【考案の効果】
【００１１】
エプロンは、防水性のシートを切断するだけで製作することができる。製作費が安くなる。着用者の胸部、肩部、腕部、腹部や脚部前面などの広い範囲を覆う。
【図面の簡単な説明】
【００１２】
【図１】本考案の実施形態の第１例におけるエプロンの正面図。
【図２】同エプロンの製作時の正面図。
【図３】同エプロンの着用状態の前側斜視図。
【図４】同着用状態の背面図。
【図５】実施形態の第２例におけるエプロンの正面図。
【図６】第３例におけるエプロンの正面図。
【考案を実施するための形態】
【００１３】
［第１例（図１〜図４参照）］
本例のエプロンは、素材の防水性シートを合成樹脂シートにしている。実施例では、ポリエチレンのシートにしている。合成樹脂シートｓは、切断するだけで、図１に示す形状のエプロンにする。素材の合成樹脂シートｓは、縦長の長方形状にし、図２に鎖線で示すように、左右方向中央位置の縦線ｔを折り線にして二つ折りにする。この二つ折り状態で、図２に実線で示す形状に切断する。切断後、二つ折り状態を平面形状に展開する。すると、図１に示す左右対称形状のエプロンになる。
【００１４】
エプロンは、図１に示すように、上下方向中央部の左右にそれぞれ腰紐部１を形成している。左右の腰紐部１は、垂れ下がるテープ形状にしている。エプロンは、左右の腰紐部１位置の下側の部分を前垂れ部２にしている。前垂れ部２は、方形状にしている。エプロンは、図３と図４に示すように、着用者ｐが腰に左右の腰紐部１を巻き付けて結ぶと、前垂れ部２が着用者ｐの前側に垂れ下って着用者ｐの腹部と脚部前面を覆う。
【００１５】
また、エプロンは、図１に示すように、左右の腰紐部１位置の直上の部分を胸当て部３にしている。胸当て部３の上側の部分は、ケープ状部４にしている。胸当て部３とケープ状部４は、横長の概略長方形状にしている。ケープ状部４には、切抜孔や切れ目によって首通し部５と腕通し部６を形成している。首通し部５は、横長の概略長円形状の切抜孔にし、左右方向中央位置に配置している。腕通し部６は、縦線状の切れ目にし、左側位置と右側位置にそれぞれ配置している。エプロンは、図３と図４に示すように、着用者ｐが首を首通し部５に、左右の腕を左右の腕通し部６に通すと、ケープ状部４が着用者ｐの左右の肩部と左右の腕部に被さり、胸当て部３が着用者ｐの胸部を覆う。
【００１６】
エプロンは、着用者ｐの肩部、腕部、胸部、腹部や脚部前面などの広い範囲を覆う。医療関係者や介護関係者が着用するのに適している。
【００１７】
首通し部６の上側の部分は、図１に示すように、切り欠き部７とミシン目８を形成している。切断し易くしている。着用者ｐは、エプロンの使用後、切り欠き部７とミシン目８の左右の部分を引っ張って、首通し部５の上側部分を切断する。すると、首通し部５が左右に開放し、首からエプロンを外し易くなる。
【００１８】
［第２例（図５参照）］
本例のエプロンは、図５に示すように、左右の腕通し部６をそれぞれ縦長の長円形状の切抜孔にしている。
その他の点は、第１例におけるのと同様である。第１例におけるのと同様な部分には、図中、第１例におけるのと同一の符号を付ける。
【００１９】
［第３例（図６参照）］
本例のエプロンは、図６に示すように、ケープ状部４の上辺を横直線状にし、第１例における切り欠き部７を無くしている。ミシン目８だけで首通し部６の上側部分を切断し易くしている。
その他の点は、第１例におけるのと同様である。第１例におけるのと同様な部分には、図中、第１例におけるのと同一の符号を付ける。
【００２０】
［変形例］
本考案は、上記の実施形態に限定されない。次のような変形が例示される。
１．上記の実施形態において、素材の防水性シートｓは、合成樹脂シートにしているが、防水性の不織布にする。又は、防水性の紙やその他のシートにする。
２．上記の実施形態において、素材の防水性シートｓは、長方形状にして二つ折りにし、二つ折り状態で切断するが、筒形状にし、扁平にして二重にし、両側に折り端を配置し、扁平二重状態で切断し、片側の折り端を切り捨てる。
３．上記の実施形態において、左右の腰紐部１は、垂れ下がるテープ形状にしているが、左方、右方に延びるテープ形状にする。
４．上記の実施形態において、首通し部５は、横長の概略長円形状の切抜孔にしているが、横線状の切れ目にする。
【符号の説明】
【００２１】
ｓ  防水性シート、合成樹脂シート、素材
ｔ  素材の縦線、折り線
ｐ  着用者
１  腰紐部
２  前垂れ部
３  胸当て部
４  ケープ状部
５  首通し部
６  腕通し部
７  切り欠き部
８  ミシン目
【図１】
0003190355.tif 000003
【図２】
0003190355.tif 000004
【図３】
0003190355.tif 000005
【図４】
0003190355.tif 000006
【図５】
0003190355.tif 000007
【図６】
0003190355.tif 000008